(57)【要約】それ自体のネットワークトポロジー、つまりネットワークを構成するノードのアイデンティティと相互接続とをそれ自体のために判断することができる通信ネットワーク。本ネットワークは、ネットワークトポロジーに従って相互接続（７から１３）された少なくとも１つのポート（Ａ1からＥ1）を各々が有する複数のノード（ＡからＥ）を含み、通信トラフィックが相互接続されたポートを通じてネットワーク上で搬送される。各ポートは、通信トラフィックが発せられたポートのアイデンティティ（セクショントレースアイデンティティ）を含む第１の情報（ｈからｕ）を該通信トラフィック内で送信するように構成される。どの第１情報アイデンティティがどのノード及びどのポートと関係しているかを識別する第２の情報をノード間で送信するように構成された手段と、第１及び第２の情報から、各ノードに対して、隣接するノードのアイデンティティとそのポートが接続されたポートのアイデンティティとを判断するように構成された処理手段とが設けられる。【選択図】図２
2004524749.tif 000002
【特許請求の範囲】
【請求項１】
ネットワークトポロジーに従って相互接続（７から１３）された少なくとも１つのポート（Ａ1からＥ1）を各々が有する複数のノード（ＡからＥ）を含み、通信トラフィックが、該相互接続されたポートを通じて該ネットワーク上で搬送され、各ポート（Ａ1からＥ1）が、それに付随して固有のポート識別子（ｈからｕ）を有し、各ノード（ＡからＥ）が、それに付随して固有のノード識別子を有し、各ポートが、前記通信トラフィックが発せられたポートを識別するそのそれぞれのポート識別子（ｈからｕ）を該通信トラフィック内で送信するように構成された通信ネットワークであって、
ノード識別子と該ノードに付随する各ポートに対するポート識別子とをネットワークの各ノードに対して含む第２の情報を各ノードに送信するように構成された手段と、
受信した前記ポート識別子及び第２の情報から、各ノードに対して、隣接ノードのアイデンティティとそのポートが接続されたポートのアイデンティティとを判断するように構成された処理手段と、
を含むことを特徴とするネットワーク。
【請求項２】
前記処理手段は、隣接するノードの相互接続から前記ネットワークのトポロジーを更に判断するように構成されることを特徴とする請求項１に記載の通信ネットワーク。
【請求項３】
前記第２の情報は、前記ノードを相互接続して前記通信トラフィックを搬送する接続とは物理的に別個の接続を通じて前記ノードに送信されることを特徴とする請求項１又は請求項２のいずれか１項に記載の通信ネットワーク。
【請求項４】
前記第２の情報は、制御信号情報の一部として送信されることを特徴とする請求項３に記載の通信ネットワーク。
【請求項５】
前記処理手段は、前記ネットワークの前記ノード間に分配されることを特徴とする請求項１から請求項４のいずれか１項に記載の通信ネットワーク。
【請求項６】
前記ノードは、該ノードのそれぞれのポート上で受信されることを期待することができる前記ポート識別子を含むプリロード検査情報を記憶する記憶手段と、該ノードポートの接続の完全性を確認するために、そのポートで受信した前記ポート識別子を前記検査情報と比較する手段とを含むことを特徴とする請求項１から請求項５のいずれか１項に記載の通信ネットワーク。
【請求項７】
前記ポート識別子は、前記通信トラフィックのオーバーヘッド部の一部として送信されることを特徴とする請求項１から請求項６のいずれか１項に記載の通信ネットワーク。
【請求項８】
前記第２の情報は、修正「インターネットプロトコル」の形態で送信されることを特徴とする請求項１から請求項７のいずれか１項に記載の通信ネットワーク。
【請求項９】
前記通信トラフィックを用いて変調された光放射の形態で前記通信トラフィックがノード間で伝送される光通信ネットワークであり、
前記放射は、前記ノードを相互接続する放射ガイド手段により搬送される、
ことを特徴とする請求項１から請求項８のいずれか１項に記載の通信ネットワーク。
【請求項１０】
「同期デジタル階層（ＳＤＨ）」ネットワークを含むことを特徴とする請求項１から請求項９のいずれか１項に記載の通信ネットワーク。
【請求項１１】
「同期光ネットワーク（ＳＯＮＥＴ）」を含むことを特徴とする請求項１から請求項９のいずれか１項に記載の通信ネットワーク。
【請求項１２】
前記ポート識別子は、セクションオーバーヘッド内で搬送されるセクショントレース識別子を含むことを特徴とする請求項１０又は請求項１１のいずれか１項に記載の通信ネットワーク。
【請求項１３】
前記第２の情報は、「データ通信チャンネル（ＤＣＣ）」内で送信されることを特徴とする請求項１０から請求項１２のいずれか１項に記載の通信ネットワーク。
【請求項１４】
波長分割多重（ＷＤＭ）ネットワークを含むことを特徴とする請求項１から請求項１３のいずれか１項に記載の通信ネットワーク。
【請求項１５】
前記第２の情報は、「光監視チャンネル（ＯＳＣ）」内で送信されることを特徴とする請求項１４に記載の通信ネットワーク。
【請求項１６】
ネットワークトポロジーに従って相互接続された少なくとも１つのポートを各々が有する複数のノードを含み、通信トラフィックが、該相互接続されたノードを通じて該ネットワーク上で搬送され、各ポートが、それに付随して固有のポート識別子を有し、各ノードが、それに付随して固有のポート識別子を有し、各ポートが、前記通信トラフィックが発せられたポートを識別するそのそれぞれのポート識別子を該通信トラフィック内で送信する種類の通信ネットワークを作動させる、該ネットワークトポロジーを判断するための方法であって、
ノード識別子と該ノードに付随する各ポートに対するポート識別子とをネットワークの各ノードに対して含む第２の情報を各ノードに送信する段階と、
受信した前記ポート識別子及び第２の情報から、各ノードに対して、隣接ノードのアイデンティティと該隣接ノードを相互接続するポートのアイデンティティとを判断する段階と、
を含むことを特徴とする方法。
【発明の詳細な説明】
【技術分野】
【０００１】
本発明は、通信ネットワークに関し、より具体的には、それ自体のネットワークトポロジー、すなわち、ネットワークを構成するノードのアイデンティティと相互接続とをそれ自体のために判断することができるネットワークに関する。
【背景技術】
【０００２】
通信ネットワークは、周知の通り相互接続された複数のノードを含む。各々のノードには、複数のポートを有するノードユニットが設けられる。それぞれのノードユニットのポートは、ネットワークトポロジーに従って、例えばリング構成、網目構成、又はその他の構成で相互に接続される。通信トラフィック（情報／データ）は、相互接続されたポートを通じてノードユニット間で搬送される。ノードユニット間の通信は、電気的又は光学的に行うことができる。前者の場合、ノードユニットのポートは、一般に導電線で接続され、情報は、変調された電気信号としてノード間で搬送される。後者の場合、ポート間の通信は、典型的には光ファイバのような光導波路により搬送される変調光放射により行われる。
【０００３】
通信ネットワークの管理及び作動（通信トラフィックその他の経路指定）においては、ネットワークトポロジー、すなわちノードユニットのアイデンティティと相互接続とが分かっていること、及び、特に各ノードユニットのどのポートが他のどのノードユニットのどのポートに接続されているか分かっていることが必要である。ネットワークにとっては、それ自体のネットワークトポロジーをそれ自体のために判断できることが特に有利である。
【０００４】
自らのネットワークトポロジーを判断できる公知の通信ネットワークの一例として、「ＡＴＭ」（非同期転送モード）又は「ＩＰ」（インターネットプロトコル）ネットワークがある。そのようなネットワークは、マルチプロトコルラベル交換（ＭＰＬＳ）を使用して、ラベルアドレス指定、サービスの質、及び、それら自体のネットワークトポロジーを判断する付帯的能力を提供する。そのようなネットワークの一例が、図１に図解されている。このネットワークは、符号Ａ1、Ａ2、．．．、Ｅ1を付したそれぞれのポートにより相互に接続された５つのノードＡからＥを含む。周知の通り、通信トラフィック（顧客データ／情報）は、信号情報に応じてポート間で選択的に経路指定することによりネットワークを通じて通信され、信号情報は、後述されるが、ポート間の同一の物理的相互接続を通じて搬送され、すなわちインバンド信号である。本出願の関連において、制御信号情報は、ネットワークの制御／作動のために使用される経路指定／管理／サービスの質等の情報を指している。これに対して、例えばデータ、音声、映像等のような通信トラフィックは、システムを通じて通信される情報である。
【０００５】
ネットワークがそのトポロジーを判断するためには、各ノードは、先ず始めにそれが接続している隣接ノードのアイデンティティを判断し、かつそのポートがどのように各隣接ノードのポートと物理的に接続されているかということを判断する必要がある。図解した「ＡＴＭ」ネットワークにおいては、各ノードは、ノード及びポートのアイデンティティ（ＩＤ）を含む制御信号情報を各ポートを通じて送信することにより、この情報を判断する。この情報は、「ＭＰＬＳ」プロトコルに従って送信される。すなわち、各ノードの各ポートは、それが物理的に接続されている各ノード及びポートのアイデンティティを受信することになる。各ノードが隣接ノードのマップを判断し終えたら、各ノードは、この情報を他の全てのノードに同報通信して、各ノードがネットワークトポロジーのマップ全体を判断できるようにする。
【０００６】
【特許文献１】
欧州特許ＥＰ１０２６９１６
【発明の開示】
【発明が解決しようとする課題】
【０００７】
ネットワークトポロジーを判断する上記のような方法は、「ＡＴＭ／ＩＰ」ネットワークにおいては適当であるが、特に同期デジタル階層（ＳＤＨ）又は同期光ネットワーク（ＳＯＮＥＴ）を使用して作動する光通信ネットワークにおいては、ネットワークトポロジーを判断する上で問題があることを本発明者は認めた。「ＡＴＭ」及び「ＩＰ」とは異なり、このようなネットワークにおいては、インバンドトラフィックに対する直接的なアクセスは存在せず、従ってインバンド信号を搬送する能力は限られており、ノード間での制御信号情報の通信は、通信トラフィックを搬送する経路とは物理的に別個の経路を通じて搬送される。その結果、受信ノードは、ポートと直接的関連（物理的相互接続）を有することができず、従って、各ノードが隣接ノードのマップを判断する上で問題が生じる。
【０００８】
欧州特許ＥＰ１０２６９１６は、リンクがネットワークの隣接ノードの相互接続されたポートを含む自動遠隔通信リンク識別システムを開示している。各ポートは、固有の識別子を有しており、それ自体のアイデンティティとリンクの受信端におけるポートの推定識別子（遠隔識別子）とを含む識別メッセージをリンクを通じて送信するように構成されている。同様に、受信端におけるポートは、遠隔識別子と共にそれ自体の識別子を含む識別メッセージを送信する。リンクの反対端におけるポートからの識別メッセージが一致する場合、すなわち、ポート識別子が互いにレシプロカルな関係であれば、そのリンクは識別され、ポートの相互接続性が判断される。しかし、識別メッセージが一致しない場合は、受信したポート識別子に応答して、一方のポートがその遠隔識別子を更新し、更新された遠隔ポート識別の通知として識別メッセージを再送信することになる。
本発明は、公知の装置の限界を少なくとも部分的に克服する、自らのトポロジーを判断できる通信ネットワークを提供しようとする試みから生れたものである。
【課題を解決するための手段】
【０００９】
本発明の第１の態様によれば、ネットワークトポロジーに従って相互接続された少なくとも１つのポートを各々が有する複数のノードを含み、通信トラフィックがこの相互接続されたポートを通じてネットワーク上で搬送され、各ポートがそれに付随して固有のポート識別子を有し、各ノードがそれに付随して固有のノード識別子を有し、各ポートが、通信トラフィックが発せられたポートを識別するそのそれぞれのポート識別子をその通信トラフィック内で送信するように構成された通信ネットワークが提供され、本ネットワークは、ノード識別子とそのノードに付随する各ポートに対するポート識別子とをネットワークの各ノードに対して含む第２の情報を各ノードに送信するように構成された手段と、受信したポート識別子及び第２の情報から、各ノードに対して、隣接ノードのアイデンティティとそのポートが接続されたポートのアイデンティティとを判断するように構成された処理手段とを含むことを特徴とする。
【００１０】
有利な態様においては、処理手段は、隣接ノードの相互接続から、ネットワークトポロジー、すなわち全てのノードの全てのポートの相互接続を更に判断するように構成される。
本発明は、ノード間を相互接続する接続線とは物理的に異なりかつ通信トラフィックを搬送する接続を通じて第２の情報をノード間で送信する、同期システムのような通信ネットワークに対して特定の応用を見出す。そのようなネットワークにおいては、第２の情報は、好ましくは制御信号情報の一部として送信される。
【００１１】
処理手段は、好ましくは、ネットワークのノード間に分配される。好ましい構成においては、各ノードは、隣接ノードのアイデンティティと、そのポートの各々が相互接続されているそれぞれのポートのアイデンティティとを少なくとも判断することができる処理手段を含む。
ノードは、好ましくは、ノードのそれぞれのポートで受信されることを期待することができるポート識別子を含むプリロード検査情報を記憶する記憶手段と、ノードポートの接続の完全性を確認するために、そのポートで受信したポート識別子を検査情報と比較する手段とを含む。
ポート識別子は、好ましくは、通信トラフィックのオーバーヘッド部内で搬送される。有利な態様においては、第２の情報は、変調された「インターネットプロトコル」の形態で送信される。
【００１２】
ネットワークは、好ましくは、通信トラフィックが通信トラフィックを用いて変調された光放射の形態でノード間で伝送される光通信ネットワークであり、この放射は、好ましくは光ファイバである放射ガイド手段により搬送される。
１つの構成においては、ネットワークは、「同期デジタル階層（ＳＤＨ）」ネットワークを含む。代替的に、ネットワークは、「同期光ネットワーク（ＳＯＮＥＴ）」を含む。そのような通信ネットワークにおいては、ポート識別子は、有利な態様において同期トラフィックフレームのセクションオーバーヘッド内で搬送されるセクショントレース識別子を含む。有利な態様においては、第２の情報は、データ通信チャンネル（ＤＣＣ）内で送信される。
有利な態様においては、通信ネットワークは、波長分割多重（ＷＤＭ）ネットワーク、好ましくは、高密度「ＷＤＭ」ネットワークを含む。そのようなネットワークに対して、有利な態様においては、第２の情報は「光監視チャンネル（ＯＳＣ）」で伝送される。
【００１３】
本発明の第２の態様によれば、ネットワークトポロジーに従って相互接続された少なくとも１つのポートを各々が有する複数のノードを含み、通信トラフィックがこの相互接続されたノードを通じてネットワーク上で搬送され、各ポートがそれに付随して固有のポート識別子を有し、各ノードがそれに付随して固有のポート識別子を有し、各ポートが、通信トラフィックが発せられたポートを識別するそのそれぞれのポート識別子をその通信トラフィック内で送信する種類の通信ネットワークを作動させる、ネットワークトポロジーを判断するための方法が提供され、本方法は、ノード識別子とそのノードに付随する各ポートに対するポート識別子とをネットワークの各ノードに対して含む第２の情報を各ノードに送信する段階と、受信したポート識別子及び第２の情報から、各ノードに対して、隣接ノードのアイデンティティとこの隣接ノードを相互接続するポートのアイデンティティとを判断する段階とを含むことを特徴とする。
ここで、添付図面を参照しながら、本発明による通信ネットワークを単に例示的に以下に説明する。
【発明を実施するための最良の形態】
【００１４】
添付図面を参照すると、図２には、それぞれＡからＥで識別された５つのノード１、２、３、４、５を含む光通信ネットワークが図示されている。ノード１は、それぞれＡ1からＡ6で識別された６つの光ポートを有し、ノード２は、それぞれＢ1からＢ3で識別された３つの光ポートを有し、ノード３は、２つの光ポートＣ1及びＣ2を有し、ノード４は、２つの光ポートＤ1及びＤ2を有し、ノード５は、１つの光ポートＥ1を有する。これらのノードの光ポートは、ネットワークトポロジーに従って光ファイバ７から１３により互いに接続され、ノード間で通信トラフィックを搬送することができる。ここで説明する実施形態においては、通信トラフィックは、同期デジタル階層（ＳＤＨ）又は同期光ネットワーク（ＳＯＮＥＴ）に従って変調光放射の形態でノード間で搬送される。
【００１５】
ここで、ノード１から５の光ポート間の通信について説明する。ノード１の光ポートＡ1からＡ3は、それぞれ光ファイバ７から９によりノード２の光ポートＢ1からＢ3に接続される。ノード１の光ポートＡ4は、光ファイバ１０によりノード３の光ポートＣ1に接続される。ノード１の光ポートＡ5及びＡ6は、それぞれ光ファイバ１１及び１２によりノード４の光ポートＤ1及びＤ3に接続される。最後に、ノード３の光ポートＣ3は、光ファイバ１３によりノード５の光ポートＥ1に接続される。
上述のこのネットワークは、本発明を分かり易くするために、単純化されたネットワークトポロジーを有する。実際的な通信ネットワークにおいては、トポロジーは、リング状、網目状、又は他のネットワークトポロジーで接続された幾十又は幾百という多数のノードを含むであろう。
【００１６】
ネットワークは、ネットワークの作動を制御するための管理ソース６を更に含む。この管理ソース６は、独立的に経路指定された信号制御通信リンク１４により、各ノード１から５に接続される。通信リンク１４は、通信トラフィックを搬送するために使用されるノードのポートとは独立した、図２において参照符号なしのポートを通じてノード１から５にアクセスする。管理ソース６は、ネットワーク管理システムに所属できる情報ソースを表している。通信リンク１４は、管理ソース６から各ノードへの双方向通信、及び、ノード間の双方向通信もまた可能にする。
【００１７】
「ＳＤＨ」ネットワークにおいて知られているように、各ノードは、通信トラフィックを発するポートに固有な第１の情報片を、この通信トラフィック内で送信する。セクショントレース識別子と名付けられ、典型的には１６バイトの長さを有するこの第１の情報は、同期式トラフィックフレームのセクションオーバーヘッド内で搬送される。一層具体的に言うと、セクショントレース識別子は、「ＳＤＨ」フレームの１６連続Ｊ０バイト内で搬送される。ネットワークの初期設定時に、各々の物理的ポートに関係した固有のセクショントレース識別子は、管理ソース６により割当てられて、通信リンク１４を通じてそれぞれのノードに通信される。セクションとは、２つのポート間の物理的リンクを指す。従って、各セクションは、２つのセクショントレース識別子により一意的に限定される。
【００１８】
例えば、ノード１のポートＡ1は、図２においてｈで指示されたセクショントレース識別子を含む。逆に、ポートＡ1に接続され、従って同じ物理的接続（セクション）を表すノード２のポートＢ1は、ｉで指示されたトレース情報を送信するように構成される。同様に、ポートＡ2、Ｂ2、Ａ3、Ｂ3、Ａ4、Ｃ1、Ａ5、Ｄ1、Ａ6、Ｄ2、Ｃ2、Ｅ1は、それぞれｊからｕで指示されたセクショントレース識別子を送信するように構成される。
【００１９】
管理ソース６は、初期設定時に、各ノードにそのセクショントレース識別子を通信すると共に、各ポートに対してそれぞれのポートで受信することが予期されるセクショントレース識別子も通信する。各ノードは、そのポートで受信されたセクショントレース識別子を吟味して、これらの情報を期待値と比較し、それによってセクション（物理的接続）の完全性を確認するように構成される。受信されたセクショントレース識別子と期待されるセクショントレース識別子とが一致しない場合には、ノードはエラーフラッグを発生して、これを管理ソース６に通信する。セクショントレース識別子の使用はよく知られており、かつ文書化されている。従って、上述のネットワークは、公知の構成を有するネットワークである。
セクショントレース識別子のみでは、ノードの正しい相互接続を検査する手段を提供するだけであることが認められるであろう。すなわち、それらは、各ノードが接続されている隣接ノードのアイデンティティも、隣接ノードのどのポートに各ノードが取り付けられているかについても各ノードがそれ自体のために判断することを可能にしない。
【００２０】
本発明の通信ネットワークによれば、各ノードは、通信リンク１４を通じて他の全てのノードと第２の情報を通信するように構成される。この情報は、修正インターネットプロトコル（ＩＰ）を使用してノード間で通信される。この第２の情報は、ノードのアイデンティティと、その物理的ポートのアイデンティティと、各ポートのセクショントレース・アイデンティティとを含む。一例として、ノード１が通信する情報を以下の表１に示す。
【００２１】
【表１】
2004524749.tif 000003
【００２２】
このように、各ノードは、ノードアイデンティティと、ポートアイデンティティと、各々かつ全てのノードに対する対応するセクショントレースアイデンティティとに関する情報で完結する。この情報は、表２に示されている。
【００２３】
【表２】
2004524749.tif 000004
【００２４】
作動時には、各ノードは、そのそれぞれのポートで受信した通信トラフィックから抽出されたセクショントレースアイデンティティを更なる情報（表２）と結合し、そのポートの各々が接続されたノードアイデンティティとポートアイデンティティとを判断する。
例えば、ノード１は、その第１のポートＡ1において受信した通信トラフィックがセクショントレースアイデンティティｉを有することを識別する。表２の情報から、ノード内の処理手段は、このアイデンティティがノード２のポートＢ1に対応することを推定し、それによってポートＡ1がノード２のポートＢ1に物理的に接続されていると判断する。同様に、各ノードは、そのポートが直接接続されている隣接ノードのマップを判断する。
【００２５】
各ノードが隣接ノードとのマップを判断し終えたら、各ノードは、この情報を通信リンク１４を通じて他の全てのノードに送信し、各ノードがネットワークのレイアウトのマップを全体として作り上げることを可能にする。このようにして、各ノードは、ネットワークを構成する全てのノードのアイデンティティと相互接続とをそれ自体のために判断することができ、すなわち、各々は、ネットワークトポロジーを判断することができる。
【００２６】
以上の説明において、ネットワークトポロジーがそのネットワークの初期設定時に判断されるとしたが、「ＳＤＨ」ネットワークトポロジーは作動中に動的に変えることができるから、この処理は、ネットワークの作動中に続行されることが想定される。本発明によるネットワークの特別な利点は、ノード間における制御信号情報の通信が通信トラフィックの通信経路とは物理的に異なる通信経路を通じて行われても、ネットワークがそれ自体のトポロジーを判断できるということである。上記ネットワークの特別有利な点は、「ＳＤＨ／ＳＯＮＥＴ」ネットワーク内に本質的に存在するセクショントレースアイデンティティを第１の情報を搬送するために利用していることである。従って、本発明のネットワークは、ノード内に処理手段を設けることにより、かつノード間で通信するために使用される既存のインターネットプロトコルを変更することにより容易に実現可能である。
【００２７】
本発明の範囲内で上記ネットワークを変更できることが認められるであろう。例えば、代替構成においては、「データ通信チャンネル（ＤＣＣ）」を使用してノード間で第２の情報を通信することも考えられる。これは、インバンド通信チャンネルであるが、通信トラフィックチャンネルとは独立的に作動する。
更に、この通信ネットワークは、波長分割多重（ＷＤＭ）ネットワーク、又は高密度「ＷＤＭ」ネットワークを含むことができ、そこでは、通信トラフィックは、しばしば波長チャンネルと呼ばれる特定波長の変調された放射の形態で搬送される。そのようなネットワークにおいては、波長チャンネルのうちの１つが通信トラフィック搬送以外の目的のために確保され、それは「光監視チャンネル（ＯＳＣ）」と呼ばれる。そのようなネットワークにおいては、ノードポートのセクショントレース識別子（第１の情報）は、好ましくは、「ＯＳＣ」により搬送される。
【００２８】
上述のネットワークは光学ネットワークであるが、信号制御情報の通信が通信トラフィックの通信と同じ物理経路を通じて行われることが保証できない非光学ネットワークに対しても本発明が適用可能であることは、当業者には理解されるであろう。上述のように情報を２つの部分に分割することにより、本発明のネットワークがそれ自体のネットワークトポロジーを判断することが可能になる。
【図面の簡単な説明】
【００２９】
【図１】上述の公知の「ＡＴＭ」通信ネットワークの概略図である。
【図２】本発明による光通信ネットワークの概略図である。
【符号の説明】
【００３０】
１、２、３、４、５  ノード
Ａ、Ｂ、Ｃ、Ｄ、Ｅ  ノード
Ａ1、Ｂ1、Ｃ1、Ｄ1、Ｅ1  光ポート
６  管理ソース
７、８、９、１０、１１、１２、１３  相互接続（光ファイバ）
１４  信号制御通信リンク
ｈ、ｉ、ｊ、ｋ、ｌ、ｍ、ｎ、ｏ、ｐ、ｑ、ｒ、ｓ、ｔ、ｕ  第１の情報
【国際公開パンフレット】
2004524749.tif 000005
2004524749.tif 000006
2004524749.tif 000007
2004524749.tif 000008
2004524749.tif 000009
2004524749.tif 000010
2004524749.tif 000011
2004524749.tif 000012
2004524749.tif 000013
2004524749.tif 000014
2004524749.tif 000015
2004524749.tif 000016
2004524749.tif 000017
2004524749.tif 000018
2004524749.tif 000019
2004524749.tif 000020
2004524749.tif 000021
2004524749.tif 000022
2004524749.tif 000023
2004524749.tif 000024
2004524749.tif 000025
【国際調査報告】
2004524749.tif 000026
2004524749.tif 000027